(57)【特許請求の範囲】
【請求項１】
ねじ先と、らせん状に形成されたねじ山と、対向する前記ねじ山の間に形成されたねじ溝と、を備え、
前記ねじ先が、略ねじ軸線上にあり、
前記ねじ先の先端角が、４０±２度の範囲であり、
前記ねじ先からねじ山に沿って１／４ピッチ後方に位置する第一のねじ山部の最大高さが、０．２０±０．０２ｍｍの範囲であり、
第一のねじ溝部が、前記ねじ先からねじ山に沿って３／４ピッチ後方に位置する第二のねじ山部の前方にあり、
第一のねじ溝部の最深部が、第一のねじ溝部のうち最もねじ軸線に近い位置にあり、
前記ねじ先から第一のねじ溝部の最深部に引いた接線と、ねじ軸線との角度が、０〜３．０度の範囲であることを特徴とする、骨用ねじ構造。
【請求項２】
第一のねじ山部が、前記ねじ先からねじ山に沿って１／４ピッチ後方に位置し、
第二のねじ山部が、前記ねじ先からねじ山に沿って３／４ピッチ後方に位置し、
前記ねじ先から引いた前記第一のねじ山部への第一の接線と前記ねじ先から引いた前記第二のねじ山部への第二の接線との角度が、４０±２度の範囲であり、
全てのねじ山が、前記第一の接線および前記第二の接線の内側にある、請求項１に記載のねじ構造。
【請求項３】
ねじ山上にある第（２ｎ）のねじ山部からねじ山に沿って１ピッチ後方に位置するねじ山部を第（２ｎ＋２）のねじ山部とし、前記第（２ｎ＋２）のねじ山部からねじ山に沿って１ピッチ後方に位置するねじ山部を第（２ｎ＋４）のねじ山部とした場合に、
ｎが２の場合に、前記第（２ｎ）のねじ山部は、前記第二のねじ山部からねじ山に沿って１ピッチ後方に位置し、
ｎが２以上２０以下のいずれかの整数であり、
第（２ｎ）のねじ山部と第（２ｎ＋２）のねじ山部との間隔が、
第（２ｎ＋２）のねじ山部と第（２ｎ＋４）のねじ山部との間隔と、
ねじ軸線方向を基準として略同一である、請求項１または２に記載のねじ構造。
【請求項４】
ｎが２以上２０以下のいずれかの整数であり、前記第（２ｎ）のねじ山部の高さと、前記第（２ｎ＋２）のねじ山部の高さが、ねじ軸線の垂直方向を基準として略同一である、請求項３に記載のねじ構造。
【請求項５】
請求項１〜４のいずれかに記載の骨用ねじ構造を備えた、骨用ねじ。
【請求項６】
請求項１〜４のいずれかに記載の骨用ねじ構造を備えた、骨用タップ。
【発明の詳細な説明】
【技術分野】
【０００１】
本発明は、生物の骨に使用するためのねじ構造に関し、詳細にはヒトの骨に使用するためのねじ構造ならびにその構造を備えたねじおよびタップに関する。
【背景技術】
【０００２】
これまで様々なねじの構造が提案されている。
ねじ孔が形成されていない材料に対して容易にねじを回転させながらねじ込むことができる構造として、ねじの先端部分にねじ山を密に配置し、ねじの後端部分にねじ山を等間隔に配置した第一のねじが提案されている（特許文献１）。
この第一のねじであれば、木材に対してねじを回転させながらねじ込んだ際に木材から木材の繊維が外部に飛び出すことを防ぐことができるとされる。
【０００３】
一方、ねじ孔が形成されていない材料に対して容易にねじを回転させながらねじ込むことができる異なる構造として、ねじ軸に対する垂直断面を基準として、ねじ先端部分ではねじ山の断面形状が丸みを帯びた三角形状であり、ねじの先端部分からねじ後端部分にかけてねじ山の断面形状が円形に変化する第二のねじも提案されている（特許文献２）。
この第二のねじであれば、材料に対して比較的容易にねじ孔を形成することができ、材料によるねじ山の破壊も防ぐことができるとされる。
【先行技術文献】
【特許文献】
【０００４】
【特許文献１】特開２０１２−７２８４０号公報
【特許文献２】特公平６−６０６５２号公報
【発明の概要】
【発明が解決しようとする課題】
【０００５】
ところで本発明者らが生物の骨、特にヒトの骨に使用するねじの構造を検討したところ、公知のねじ構造を備えたねじでは容易に前記骨に対してねじ孔を形成することができないことに気が付いた。
特にヒトの頭蓋骨に代表される骨の場合には、骨の厚みが小さく、骨の厚み方向に骨の強度が変化するため骨に対してねじ孔を形成することが容易ではない。
さらにねじを接触させる骨の外部とは反対側にある骨の内部には、重要な組織が存在する場合がある。
仮に前記骨に対してねじ孔を形成することが容易ではない場合には、ねじ孔を形成する際に骨表面の垂直方向に対して比較的大きな力を加えることが多くなる。
ところがねじを骨にねじ込む過程でねじ山がねじ孔の内部構造を破壊した場合には、ねじが勢いよく骨の内部に侵入するから、骨の内部に存在する重要な組織をねじにより損傷させる可能性もある。
この通り、生物の骨に使用するネジの場合は、単に骨に対して簡単にねじ込むことができるというだけでは足りず、ヒトの骨に対してねじ孔を形成する際に施術者が作業を安全に制御できることも要求される。
【０００６】
本発明の目的は、ヒトの骨に代表される生物の骨に対して簡単かつ安全に作業をすることのできるねじ構造を提供することにある。
【課題を解決するための手段】
【０００７】
上記課題を解決すべく本発明者が鋭意検討した結果、ねじ先の先端角が４０±２度の範囲であり、ねじ先からねじ山に沿って１／４ピッチ後方の第一のねじ山部の最大高さが０．２０±０．０２ｍｍの範囲である骨用のねじ構造が上記課題を解決することを見出し、本発明を完成するに至った。
【０００８】
すなわち本発明は、
［１］ねじ先と、らせん状に形成されたねじ山と、対向する前記ねじ山の間に形成されたねじ溝と、を備え、
前記ねじ先が、略ねじ軸線上にあり、
前記ねじ先の先端角が、４０±２度の範囲であり、
前記ねじ先からねじ山に沿って１／４ピッチ後方に位置する第一のねじ山部の最大高さが、０．２０±０．０２ｍｍの範囲であり、
第一のねじ溝部が、前記ねじ先からねじ山に沿って３／４ピッチ後方に位置する第二のねじ山部の前方にあり、
第一のねじ溝部の最深部が、第一のねじ溝部のうち最もねじ軸線に近い位置にあり、
前記ねじ先から第一のねじ溝部の最深部に引いた接線と、ねじ軸線との角度が、０〜３．０度の範囲であることを特徴とする、骨用ねじ構造を提供するものである。
【００１０】
また本発明の一つは、
［２］第一のねじ山部が、前記ねじ先からねじ山に沿って１／４ピッチ後方に位置し、
第二のねじ山部が、前記ねじ先からねじ山に沿って３／４ピッチ後方に位置し、
前記ねじ先から引いた前記第一のねじ山部への第一の接線と前記ねじ先から引いた前記第二のねじ山部への第二の接線との角度が、４０±２度の範囲であり、
全てのねじ山が、前記第一の接線および前記第二の接線の内側にある、上記［１］の骨用ねじ構造を提供するものである。
【００１１】
また本発明の一つは、
［３］ねじ山上にある第（２ｎ）のねじ山部からねじ山に沿って１ピッチ後方に位置するねじ山部を第（２ｎ＋２）のねじ山部とし、前記第（２ｎ＋２）のねじ山部からねじ山に沿って１ピッチ後方に位置するねじ山部を第（２ｎ＋４）のねじ山部とした場合に、
ｎが２の場合に、前記第（２ｎ）のねじ山部は、前記第二のねじ山部からねじ山に沿って１ピッチ後方に位置し、
ｎが２以上２０以下のいずれかの整数であり、
第（２ｎ）のねじ山部と第（２ｎ＋２）のねじ山部との間隔が、
第（２ｎ＋２）のねじ山部と第（２ｎ＋４）のねじ山部との間隔と、
ねじ軸線方向を基準として略同一である、上記［１］または［２］の骨用ねじ構造を提供するものである。
【００１２】
また本発明の一つは、
［４］ｎが２以上２０以下のいずれかの整数であり、前記第（２ｎ）のねじ山部の高さと、前記第（２ｎ＋２）のねじ山部の高さが、ねじ軸線の垂直方向を基準として略同一である、上記［３］に記載の骨用ねじ構造を提供するものである。
【００１３】
また本発明の一つは、
［５］上記［１］〜［４］のいずれかに記載の骨用ねじ構造を備えた、骨用ねじを提供するものである。
【００１４】
また本発明の一つは、
［６］上記［１］〜［４］のいずれかに記載の骨用ねじ構造を備えた、骨用タップを提供するものである。
【発明の効果】
【００１５】
本発明のねじ構造は、ねじ先の先端角が４０±２度の範囲であり、ねじ先からねじ山に沿って１／４ピッチ後方の第一のねじ山部の最大高さが０．２０±０．０２ｍｍの範囲である。
このねじ構造を備えることにより、本発明のねじ構造はヒトの骨に代表される生物の骨に対して簡単かつ安全にねじ孔をあけ、かつそのねじ孔にねじ構造を形成することができる。
【図面の簡単な説明】
【００１６】
【図１】図１は、実施例１に係るねじ構造を説明するための模式図である。
【図２】図２は、実施例１に係るねじ構造を説明するための部分拡大模式図である。
【図３】図３は、ねじ構造１００における先端構造の特徴を説明するための部分拡大模式図である。
【図４】図４は、ねじ構造１００における各ねじ山部のピッチの関係を説明するための部分拡大模式図である。
【図５】図５は、ねじ構造１１０を説明するための部分拡大模式図である。
【図６】図６は、ねじ構造１２０を説明するための模式図である。
【図７】図７は、実施例４に係る骨用タップ３００を説明するための模式図である。
【図８】図８は、実施例５に係る骨用ねじ４００を説明するための模式図である。
【発明を実施するための形態】
【００１７】
以下に図面を参照しつつ実施例に基づいて本発明のねじ構造について説明する。なお、本実施例により本発明の内容は何ら限定されるものではない。
【実施例１】
【００１８】
図１は実施例１に係るねじ構造を説明するための模式図である。
図１に示されるように、実施例１に係るねじ構造１００は、本体部１と、首部２と、ねじ部３とから形成されている。
図２は、実施例１に係るねじ構造を説明するための部分拡大模式図である。
図２に示されるように、前記ねじ構造１００のねじ部３は、ねじ先１０と、ねじ軸線に沿ってらせん状に形成されたねじ山２０と、対向するねじ山との間に形成されたねじ溝３０とを備える。
実施例１の場合は、前記ねじ山２０はねじ先１０から形成されているが、本発明におけるねじ山は前記ねじ先１０から０〜３ｍｍの範囲内を起点として形成されることが好ましい。
図２における一点破線Ａ−Ａは、前記ねじ構造１００のねじ軸線である。本発明では前記ねじ先１０は略ねじ軸線上にある。
ここで略ねじ軸線上にあるとの意味は、前記ねじ先１０がねじ軸線にある場合と、前記ねじ軸線から垂直方向にプラスマイナス２．０ｍｍの範囲内にある場合を含む。前記範囲は、プラスマイナス１．０ｍｍの範囲なら好ましく、プラスマイナス０．５ｍｍ以内であればさらに好ましい。
また説明の便宜上本発明においては、前記ねじ構造１００のうち、前記ねじ先１０がある側を前記ねじ構造１００の前方とし、前記ねじ先１０がある側と反対側を後方とする。
ねじ先１０から前記ねじ山２０に沿って１／４ピッチ後方に進めた点が、第一のねじ山部２１である。
前記第一のねじ山部２１から１／２ピッチ後方に進めた点が第二のねじ山部２２である。前記第二のねじ山部２２から１／２ピッチ後方に進めた点が第三のねじ山部２３である。同様に前記第三のねじ山部２３から１／２ピッチ後方に進めた点が第四のねじ山部２４である。
また第五のねじ山部２５〜第八のねじ山部２８の場合も同様である。
【００１９】
ここで１／４ピッチ後方に進めた点とは、本発明のねじ構造のねじ山のある一点のねじ山部から、らせん状の前記ねじ山に沿ってねじ軸線の周囲を１／４回転分後方に進めたところに位置する点のことをいう。
同様に１／２ピッチ後方に進めた点とは、本発明のねじ構造のねじ山のある一点のねじ山部から、前記ねじ山に沿ってねじ軸線の周囲を１／２回転分後方に進めたところに位置する点のことをいう。
【００２０】
図２に示す通り、前記ねじ構造１００のねじ溝３０は、前記ねじ軸線に沿ってらせん状に形成されたねじ山２０のうち、対向するねじ山２０，２０の間に形成されている。
【００２１】
図３は、ねじ構造１００における先端構造を説明するための部分拡大模式図である。
前記ねじ溝３０のうち、第一のねじ溝部３１は、第二のねじ山部２２よりも前方に形成されていて、第一のねじ溝端部３１ａと第一のねじ溝端部３１ｂとが、それぞれ第一のねじ溝部３１の端部に対応する。
また第二のねじ溝部３２は、前記第一のねじ山部２１と第三のねじ山部２３との間に形成されていて、第二のねじ溝端部３２ａと第二のねじ溝端部３２ｂとが、それぞれ第二のねじ溝部３２の端部に対応する。
同様に、第三のねじ溝部３３は、前記第二のねじ山部２２と第四のねじ山部２４との間に形成されていて、第三のねじ溝端部３３ａと第三のねじ溝端部３３ｂとが、それぞれ第三のねじ溝部３３の端部に対応する。
【００２２】
前記ねじ構造１００のねじ先１０の先端部１０ａのうち、第一のねじ溝端部３１ａより前方は円錐形状となっていて、前記ねじ軸線と平行な面に対する射影像が先鋭三角形（図示せず）となる構造を備えている。
図３における破線ａと破線ｂとは、それぞれねじ先１０を始点として、それぞれ前記先鋭三角形の先端角と同じ角度、すなわち前記先端部１０ａの先端角θと同じ角度で交差している。
この破線ａと破線ｂとの角度は４０±２度の範囲である。前記先端角θが４０±２度の範囲であれば、前記ねじ構造１００を回転させながら生物の骨に接触させることにより、前記ねじ構造１００の先端部１０ａを比較的容易かつ安全に生物の骨に対してねじ孔を形成しつつ骨内部に進入させることができる。
前記先端角θが３８度未満の場合または４２度を超える場合、前記ねじ構造１００を回転させたとしても、生物の骨に対してねじ孔を形成することが困難となる。
【００２３】
また前記先端角θの値は、前記ねじ先１０から前記第一のねじ山部２１に接する第一の接戦である破線ｂおよび前記ねじ先１０から前記第二のねじ山部２２に接する第二の接戦である破線ａにも適用されることが好ましい。
前記ねじ山部２１および前記ねじ山部２２にそれぞれ接する破線ａおよび破線ｂの角度は４０±２度の範囲であることが好ましい。
前記ねじ山部２１および前記ねじ山部２２にそれぞれ接する破線ａおよび破線ｂの角度が４０±２度の範囲であれば、前記ねじ構造１００を回転させながら生物の骨に接触させることにより、前記ねじ構造１００の先端部１０ａを比較的容易かつ安全に生物の骨に対してねじ孔を形成しつつ骨内部に進入させることができる。
【００２４】
本発明における全てのねじ山は、前記ねじ軸線を基準として前記破線ａおよびｂの内側にあることが好ましい。
【００２５】
次に前記第一のねじ山部２１の高さは、前記ねじ軸線の垂直方向を基準として、前記ねじ軸線から０．２０±０．０２ｍｍの範囲である。
前記第一のねじ山部２１の高さが０．１８ｍｍ以上の場合には、前記ねじ先１０の先端部１０ａの強度の低下による前記先端部１０ａの破損を回避することができる。
また前記第一のねじ山部２１の高さが０．２２ｍｍ以下の場合には、前記ねじ構造１００を回転させながら生物の骨に接触させた際に、前記ねじ構造１００の先端部１０ａが骨内部に円滑に進入する。
【００２６】
図４は、ねじ構造１００における各ねじ山部のピッチの関係を説明するための部分拡大模式図である。
【００２７】
前記第二のねじ山部２２と前記第四のねじ山部２４との１回転分のピッチｘと、前記第四のねじ山部２４と前記第六のねじ山部２６との１回転分のピッチｙとは略同一である。
ここで１回転分のピッチが略同一、とは、前記ねじ軸線と平行方向を基準に、互いに隣接するねじ山部の間隔がプラスマイナス２ｍｍ以内に収まる範囲のことをいう。
この範囲はプラスマイナス１ｍｍ以内であれば好ましく、プラスマイナス０．５ｍｍ以内であればさらに好ましい。
前記ねじ構造１００の後部のねじ山の間隔を略同一にすることにより、骨にねじ孔を形成する際に、ねじ山部により前記ねじ孔を破壊することを防止することができる。このため、より安全にねじ孔が形成されていない骨に対して簡単かつ安全にねじ構造１００を進入させることができる。
【００２８】
なお、本発明においては、前記第六のねじ山部２６の後方のねじ山部についても、１回転分のピッチが略同一であることが好ましい。
【００２９】
前記第四のねじ山部２４以降の後方のねじ山部の高さは、前記ねじ軸線の垂直方向を基準として略同一であることが好ましい。
ここで略同一とは、前記ねじ軸線からの垂直方向の距離が±２ｍｍ以内であることをいう。
【実施例２】
【００３０】
実施例２は実施例１の変形例である。
実施例１の場合は、第一のねじ溝部３１の最深部３１ｃが前記ねじ軸線上に位置していた。
これに対して実施例２の場合は、第一のねじ溝部の最深部３１ｃが前記ねじ軸線から離れている点が異なる。
それ以外は実施例１の場合と同様である。
なお、ここでねじ溝部の最深部とは、前記ねじ溝部のうち、前記ねじ軸線の垂直方向を基準として前記ねじ軸線に最も近い部分をいう。
図５は、実施例２に係るねじ構造の第一のねじ溝部の構造を説明するための拡大部分模式図である。
破線ｃは、実施例２に係るねじ構造１１０の前記ねじ先１０から引いた、前記第一のねじ溝部３１の最深部３１ｃへの接線である。
前記ねじ先１０から第一のねじ溝部３１の最深部３１ｃに引いた接線ｃと、ねじ軸線との角度θ’は、０〜３．０度の範囲であれば好ましい。
前記接線と前記ねじ軸線との角度θ’が０〜３．０度の範囲であれば、前記ねじ構造１１０のねじ先１０の先端部１０ａの強度を高く保つことができる。
【実施例３】
【００３１】
実施例３は実施例１の変形例である。
実施例１の場合は、第一から第八までのねじ山部が存在したが、実施例３の場合は、第一から第十四までのねじ山部が存在する。
実施例３に係るねじ構造１２０の第一から第十四までのねじ山部は、それぞれ参照符号１２１〜１３４に対応する。
またそれぞれの対向するねじ山部の間に形成されるねじ溝部は、それぞれ参照符号２３１〜２４３に対応する。
【００３２】
実施例３に係るねじ構造１２０は、実施例１に係るねじ構造１００と比較して、前記ねじ先１０、第一のねじ山部２１、第二のねじ山部２２、第三のねじ山部２３、第一のねじ溝部３１、第二のねじ溝部３２および第三のねじ溝部３３は全く同じである。
【００３３】
図６は、ねじ構造１２０を説明するための部分拡大模式図である。
前記第四のねじ山部１２４の１ピッチの後方に、さらにねじ山部が存在する構造の場合には、各ねじ山部の１ピッチの間隔は略同一である。
ここで各ねじ山部の１ピッチの間隔とは、前記ねじ軸線と平行方向を基準として、ねじ山に沿って一回転分後方に進んだ際の距離をいう。
また各ねじ山部の１ピッチの間隔が略同一、とは、互いに隣接するねじ山部の間の１ピッチの間隔が、前記ねじ軸線と平行方向を基準にプラスマイナス２ｍｍ以内に収まる範囲のことをいう。
この範囲はプラスマイナス１ｍｍ以内であれば好ましく、プラスマイナス０．５ｍｍ以内であればさらに好ましい。
なお本発明においては、ｎが２以上の場合、第（２ｎ）のねじ山部と第（２ｎ＋２）のねじ山部との１ピッチの間隔は、第（２ｎ＋２）のねじ山部と第（２ｎ＋４）のねじ山部との１のピッチの間隔と略同一であることが好ましい。ｎは２以上２０以下の整数であればより好ましい。
【００３４】
また本発明においては、ｎが２以上の場合、前記ねじ軸線に対して垂直方向の各ねじ山部の高さは、第２ｎのねじ山を含めて後方の各ねじ山部以降について略同一であることが好ましい。
ここで各ねじ山部以降について略同一であるとは、前記ねじ軸線に対して垂直方向の各ねじ山部の高さがプラスマイナス２ｍｍ以内に収まる範囲のことをいう。
この範囲は、プラスマイナス１ｍｍ以内であれば好ましく、プラスマイナス０．５ｍｍ以内であればさらに好ましい。
【００３５】
ねじ構造１１０後方のねじ山部を上述の通り調整することにより、骨にねじ孔を形成する際に、ねじ山部により前記ねじ孔を破壊することを防止することができる。このため、より安全にねじ孔が形成されていない骨に対して簡単かつ安全にねじ構造１２０を進入させることができる。
【実施例４】
【００３６】
実施例４は実施例１の応用例である。
図７は、実施例３に係る骨用タップ３００を説明するための模式図である。
実施例３に係る骨用タップ３００は、実施例１に使用したねじ構造１００の本体部１に代えて、本体部３１０を備えている。
それ以外は実施例１の場合と同様である。
前記本体部３１０は、器具接続用溝３２０と、器具接続用突出部３３０とを備えている。
ねじ軸線に対して垂直方向を基準とした前記器具接続用突出部３３０の断面は正六角形であり、前記器具接続用突出部３３０とはめ合わせることのできる回転装置（図示せず）を使用して、前記骨用タップ３００を回転させることができる。
なお、前記器具接続用突出部３３０の断面の形状は回転装置との間の空転を防止するため、円形以外の形状が好ましく、正多角形であればより好ましい。
【００３７】
前記骨用タップ３００の素材としては、チタン、アルミニウム、ステンレス等の金属材、焼結セラミック等の無機材等を使用することができる。
【００３８】
前記骨用タップ３００のねじ先１０からねじ部３の後端までのねじ軸線方向の長さは２〜５０ｍｍの範囲であれば好ましい。
また前記ねじ部３の外径は２〜２０ｍｍの範囲であれば好ましい。
前記首部２のねじ軸線方向の長さは、０．５〜１０ｍｍの範囲であれば好ましい。
前記ねじ先１０から前記本体部３１０後端のねじ軸線方向の長さは、２０〜２００ｍｍの範囲であれば好ましい。
【００３９】
本発明の骨用タップに使用するねじ部３の構造は実施例４に示したものに代えて、実施例２または３に示すねじ部の構造等に変形することも可能である。
【００４０】
本発明の骨用タップを使用すれば、ヒトの骨に代表される生物の骨に対して簡単かつ安全にねじ孔をあけ、かつそのねじ孔にねじ構造を形成することができる。
【実施例５】
【００４１】
実施例５は実施例１の応用例である。
図８は、実施例５に係る骨用ねじ４００を説明するための模式図である。
実施例５に係る骨用ねじ４００は、実施例１に使用したねじ構造１００の本体部１および首部２に代えて、本体部４１０を備えている。
それ以外は実施例１の場合と同様である。
前記本体部４１０は、後方に略球面状に張り出した部分を備えた円錐状の頭部４２０と、連結部４３０とを備えている。
ねじ軸線に対して垂直方向を基準とした本体部４１０の断面形状は六角形であり、前記本体部４１０を指等で回転させることにより、骨に対して前記骨用ねじ４００を設置することができる。
なお、前記本体部４１０の断面形状は円形以外が好ましく、多角形であればより好ましい。
また前記骨用ねじ４００を骨に設置した後、前記連結部４３０を切断することも可能である。
【００４２】
前記骨用ねじ４００の素材としては、チタン、アルミニウム、ステンレス等の金属材、焼結セラミック等の無機材、合成樹脂などの有機材を使用することができる。
前記骨用ねじ４００の素材は、生体内で吸収される生分解性樹脂等を採用することもできる。
【００４３】
前記骨用ねじ４００のねじ先１０からねじ部３の後端までのねじ軸線方向の長さは２〜５０ｍｍの範囲であれば好ましい。
また前記ねじ部３の外径は２〜２０ｍｍの範囲であれば好ましい。
前記ねじ先１０から前記本体部４１０後端のねじ軸線方向の長さは、５〜１００ｍｍの範囲であれば好ましい。
【００４４】
本発明の骨用ねじ４００に使用するねじ部３の構造は実施例５に示したものに代えて、実施例２または３に示すねじ部等の構造に変形することも可能である。
【００４５】
本発明の骨用ねじを使用すれば、ヒトの骨に代表される生物の骨に対して簡単かつ安全にねじ孔をあけ、かつそのねじ孔にねじ構造を形成することができる。
【産業上の利用可能性】
【００４６】
本発明に係る骨用ねじ構造は大量生産が可能であり、特にヒトの頭蓋骨等の骨部にボルト留めを必要とする用途に適している。
【符号の説明】
【００４７】
１，３１０，４１０    本体部
２      首部
３      ねじ部
１０    ねじ先
２０    ねじ山
２１，１２１    第一のねじ山部
２２，１２２    第二のねじ山部
２３，１２３    第三のねじ山部
２４，１２４    第四のねじ山部
２５，１２５    第五のねじ山部
２６，１２６    第六のねじ山部
２７，１２７    第七のねじ山部
３０    ねじ溝
３１，２３１    第一のねじ溝部
３１ａ  第一のねじ溝部の最深部
３２，２３２    第二のねじ溝部
３２ａ  第二のねじ溝部の最深部
３３，２３３    第三のねじ溝部
３４，２３４    第四のねじ溝部
３５，２３５    第五のねじ溝部
３６，２３６    第六のねじ溝部
１００，１１０，１２０    ねじ構造
１２８    第八のねじ山部
１２９    第九のねじ山部
１３０    第十のねじ山部
１３１    第十一のねじ山部
１３２    第十二のねじ山部
１３３    第十三のねじ山部
１３４    第十四のねじ山部
２３７    第七のねじ溝部
２３８    第八のねじ溝部
２３９    第九のねじ溝部
２４０    第十のねじ溝部
２４１    第十一のねじ溝部
２４２    第十二のねじ溝部
２４３    第十三のねじ溝部
３００    骨用タップ
３２０    器具接続用溝
３３０    器具接続用突出部
４００    骨用ねじ
４２０    頭部
４３０    連結部
Ａ−Ａ    ねじ軸線
ａ，ｂ    先端部の先端角の角度を説明するための補助線
ｃ        ねじ先から第一のねじ溝部の最深部に引いた接線
θ        先端部の先端角
θ’      接線ｃとねじ軸線との角度
【図１】
0006532267.tif 000002
【図２】
0006532267.tif 000003
【図３】
0006532267.tif 000004
【図４】
0006532267.tif 000005
【図５】
0006532267.tif 000006
【図６】
0006532267.tif 000007
【図７】
0006532267.tif 000008
【図８】
0006532267.tif 000009